(57)【要約】    【課題】  立体感のある模様を醸し出すことの出来るパネルを安価に提供することにある。    【解決手段】  プレート状のパネル本体の表面には、凸面と凹面とが波状に連続して形成されて、前記凸面の最高位置を結ぶラインと前記凹面の最低位置を結ぶラインとがパネル本体の長さ方向に平行に延びており、この凹凸面には、明暗のある模様が描かれ、明るい色の模様部分または暗い色の模様部分が、凸面の最高位置を結ぶラインと凹面の最低位置を結ぶラインに対して不平行に延びており、プレート状のパネル本体の表面には、凸面と凹面とが波状に連続して形成されて、前記凸面の最高位置を結ぶラインと前記凹面の最低位置を結ぶラインとがパネル本体の長さ方向に平行に延びており、また模様がフィルムに印刷されて、このフィルムがパネル本体の凹凸面に貼り付けられている。  【選択図】  図１
2007070975.tif 000002
【特許請求の範囲】
【請求項１】
プレート状のパネル本体の表面には、凸面と凹面とが波状に連続して形成されて、前記凸面の最高位置を結ぶラインと前記凹面の最低位置を結ぶラインとがパネル本体の長さ方向に平行に延びており、この凹凸面には、明暗のある模様が描かれ、明るい色の模様部分または暗い色の模様部分の少なくとも1つが、凸面の最高位置を結ぶラインと凹面の最低位置を結ぶラインの少なくとも1つのラインに対して不平行に延びていることを特徴とする建築用パネル。
【請求項２】
模様がフィルムに印刷されて、このフィルムがパネル本体の凹凸面に貼り付けられていることを特徴とする請求項１に記載の建築用パネル。
【発明の詳細な説明】
【技術分野】
【０００１】
本発明は、例えば庭のフェンスに用いられる細長いプレート状のパネルに関する。
【背景技術】
【０００２】
一般にこの種のパネルは、耐腐性を得るために、パネル本体をアルミニウム材から細長いプレート状に形成する一方、その外観を向上させるために、パネル本体の表面に例えば木目などを全体に印刷したフィルムを貼り付けて、パネルの表面を木材から形成されたような外観に仕上げたものが見受けられる。(特許文献１参照)
しかしながら以上の金属製のパネルにあっては、パネル本体の表面の模様が木目であっても、立体感に乏しく、商品価値が低い。
【０００３】
そこで、本願出願人は、パネル本体の表面に凹凸をアットランダムに形成して、パネル本体の表面に施す模様に立体感が生じるようにしようとしたのである。
【０００４】
しかしながら、パネル本体の表面に凹凸をアットランダムに形成しようとすると、パネル本体を形成した後に、更にその表面をプレス成形などによって凹凸をアットランダムに形成するしかなく、そのため、パネルの製造コストが高くなる不具合が判明したのである。
【特許文献１】特開２００４−３３８１５１号
【発明の開示】
【発明が解決しようとする課題】
【０００５】
本発明は以上の実情に鑑みて開発したものであって、目的とするところは、立体感のある模様を醸し出すことの出来るパネルを安価に提供することにある。
【課題を解決するための手段】
【０００６】
前記した目的を達成するために、請求項１に記載の発明は、プレート状のパネル本体の表面には、凸面と凹面とが波状に連続して形成されて、前記凸面の最高位置を結ぶラインと前記凹面の最低位置を結ぶラインとがパネル本体の長さ方向に平行に延びており、この凹凸面には、明暗のある模様が描かれ、明るい色の模様部分または暗い色の模様部分の少なくとも1つが、凸面の最高位置を結ぶラインと凹面の最低位置を結ぶラインの少なくとも1つのラインに対して不平行に延びていることを特徴とするものである。
【０００７】
請求項２に記載の発明は、請求項１に記載の模様がフィルムに印刷されて、このフィルムがパネル本体の凹凸面に貼り付けられていることを特徴とするものである。
【発明の効果】
【０００８】
請求項１に記載の発明によれば、プレート状のパネル本体の表面には、凸面と凹面とが波状に連続して形成されて、前記凸面の最高位置を結ぶラインと前記凹面の最低位置を結ぶラインとがパネル本体の長さ方向に平行に延びており、この凹凸面には、明暗のある模様が描かれ、明るい色の模様部分または暗い色の模様部分の少なくとも1つが、凸面の最高位置を結ぶラインと凹面の最低位置を結ぶラインの少なくとも1つのラインに対して不平行に延びていることに伴い。例えば凹面の最低位置を結ぶライン上に位置する暗い色の模様部分が、同じく凹面の最低位置を結ぶライン上に位置する明るい色の模様部分よりも奥深く見えるようになり、また例えば凸面の最高位置を結ぶライン上に位置する明るい色の模様部分が、同じく凸面の最高位置を結ぶライン上に位置する暗い色の模様部分よりも手前側に見えるようになり、従って、パネル本体の表面に連続して形成された複数の凸面及び凹面と、これら複数の凸面及び凹面上に表現された模様との相乗作用で、パネルの表面に表わされた模様の凹凸が一層顕著にしかも複雑に表現されて、表面にリアルな立体感のある模様を醸し出したパネルを安価に提供することが出来る。
【０００９】
請求項２に記載の発明によれば、請求項１に記載の発明の効果に加え、パネル本体の凹凸面に模様を容易に形成することが出来る。
【発明を実施するための最良の形態】
【００１０】
以下、本発明の実施形態について図面を参照しながら説明する。
図において符号２で示すパネルは、例えば図５において符号１で示すフェンスに使用されるものである。
【００１１】
図５に示すフェンス１は、例えば設置面１０上に複数の支柱１１を所定間隔開けて立設すると共に、この支柱１１間に本発明にかかるパネル２を横方向に複数架設したものであって、次に本発明にかかるパネル２を詳説する。
【００１２】
このパネル２は、基本的には、パネル本体３と、このパネル本体３の表面に貼り付けるフィルム４とから構成されている。
【００１３】
パネル本体３は、図３にも示すように、アルミニウム材を既存の押出し成形機により押出し成形して、細長いプレート状に形成されたものである。
【００１４】
このパネル本体３の表面には、図３にも示すように、押出し成形により、複数の湾曲状の凸面３１と複数の湾曲状の凹面３２とが波状に連続して形成されて、凸面３１の最高位置を結ぶラインＬ１と前記凹面３２の最低位置を結ぶラインＬ２とがパネル本体３の長さ方向に平行に延びている。
【００１５】
またこの湾曲状の凹面３２と湾曲状の凸面３１とで形成されるパネル本体３の表面に貼り付けるフィルム４の表面には、図４に示すような木目模様からなる明暗のある模様４０がカラー印刷されているのであって、このフィルム４をパネル本体３の表面に貼り付けた時に、フィルム４の表面に印刷されている模様４０中、明るい色の模様部分４０ａ及び暗い色の模様部分４０ｂが、凸面３１の最高位置を結ぶラインＬ１と凹面３２の最低位置を結ぶラインＬ２に対してそれぞれ不平行に延びるように、換言すれば、明るい色の模様部分４０ａ及び暗い色の模様部分４０ｂが、それぞれ凸面３１から凹面３２に跨るようにしている。
【００１６】
次に以上の構成から成るパネル２の作用を図６により説明する。
【００１７】
尚、図６では、明るい色の模様部分４０ａ及び暗い色の模様部分４０ｂを部分的に且つ模式的に示しているが、実際は、これら明るい色の模様部分４０ａ及び暗い色の模様部分４０ｂは、図４に示すように、フィルム４の表面全域に連続して表わされるものである。
【００１８】
即ち、実施形態に示すパネル２では、パネル本体３に貼り付けられたフィルム４に印刷されている木目模様からなる明暗のある模様４０中の明るい色の模様部分４０ａ及び暗い色の模様部分４０ｂが、パネル本体３の表面に波状に連続して形成された複数の湾曲状の凸面３１と複数の湾曲状の凹面３２に対して、凸面３１の最高位置を結ぶラインＬ１と凹面３２の最低位置を結ぶラインＬ２に対してそれぞれ不平行に延びて、明るい模様部分４０ａ及び暗い模様部分４０ｂが、それぞれ凸面３１から凹面３２に跨っていることにより、例えば凹面３２の最低位置を結ぶラインＬ２上に位置する暗い色の模様部分４０ｂが、同じく凹面３２の最低位置を結ぶラインＬ２上に位置する明るい色の模様部分４０ａよりも奥深く見えるようになり、また例えば凸面３１の最高位置を結ぶラインＬ１上に位置する明るい色の模様部分４０ａが、同じく凸面３１の最高位置を結ぶラインＬ１上に位置する暗い色の模様部分４０ｂよりも手前側に見えるようになる。
【００１９】
斯くして以上のパネル２では、パネル本体３の表面に連続して形成された複数の湾曲状の凸面３１及び湾曲状の凹面３２と、これら複数の湾曲状の凸面３１及び湾曲状の凹面３２上に表現された前述の模様４０と、光の射し込みに伴って複数の湾曲状の凸面３１及び湾曲状の凹面３２に生じる光の影の相乗作用で、例えば、実際は同一断面である図６におけるＡ−Ａ部分の断面とＢ−Ｂ部分の断面が、目の錯覚（錯視）により、異なった断面であるかのように見えるようになるのであって、これにより、パネル本体３の表面に表わされた木目の模様４０の凹凸が一層顕著にしかも複雑に表現されて、パネル２の表面にリアルな立体感のある木目模様が醸し出されることとなる。
【００２０】
以上の実施形態では、パネル本体３の表面  凹凸面  に貼り付けるフィルム４に模様４０を印刷するようにしたが、これに限定されるものではなく、パネル本体３の表面  凹凸面  に直接模様４０を印刷してもよい。
【００２１】
また以上の実施形態では、パネル本体３をアルミニウム材の押出し成形により形成したが、これに限定されるものではなく、例えば合成樹脂材の押出し成形により形成したものでもよい。
【００２２】
また以上の実施形態では、パネル本体の表面に形成した凹凸面に描かれる明暗のある模様中の明るい色の模様部分及び暗い色の模様部分の両者を、凸面の最高位置を結ぶライン及び凹面の最低位置を結ぶラインに対して不平行に延ばすようにしたが、これに限定されるものではなく、例えば明るい色の模様部分または暗い色の模様部分のいずれか一方のみを、凸面の最高位置を結ぶラインまたは凹面の最低位置を結ぶラインのいずれか一方に対して不平行に延ばすようにしてもよい。
【図面の簡単な説明】
【００２３】
【図１】本発明にかかるパネルの一実施形態を示す要部の斜視図。
【図２】同、パネルの端面図。
【図３】パネル本体のみの要部の斜視図。
【図４】フィルムに印刷された模様の一例を示す説明図。
【図５】パネル本体を用いて形成されるフェンスの正面図。
【図６】本発明にかかるパネルの作用を説明するための説明図。
【符号の説明】
【００２４】
１      フェンス
２      パネル
３      パネル本体
３１    凸面
３２    凹面
４      フィルム
４０    模様
４０ａ  明るい模様部分
４０ｂ  暗い模様部分
Ｌ１    凸面の最高位置を結ぶライン
Ｌ２    凹面の最低位置を結ぶライン
【図１】
2007070975.tif 000003
【図２】
2007070975.tif 000004
【図３】
2007070975.tif 000005
【図５】
2007070975.tif 000006
【図６】
2007070975.tif 000007
【図４】
2007070975.tif 000008